(57)【要約】      （修正有）【課題】ヌメリ除去作用および／または殺菌作用を有する水溶性の薬剤および／または生ゴミや下水からの異臭を消す消臭作用を有する水溶性の薬剤の溶解を安定させるリング体を用いた蓋を提供することである。【解決手段】排水用開口６を有し、流し１の排水口１ａの上部に設置されているゴミ受けカゴ３を覆うように設けられる蓋４において、蓋本体４ａに、ヌメリ除去作用および／または殺菌作用を有する水溶性の薬剤および／または生ゴミや下水からの異臭を消す消臭作用を有する水溶性の薬剤を収容する複数の収容部Ｄが設けられたリング体４ｂを保持させ、収容部Ｄ内に排水が流入する流入孔２４と、収容部Ｄ内から薬剤の溶解液が流出する流出孔を有し、流入孔２４を流出孔より低い位置に形成し、収容部Ｄに溜まった排水によって予め薬剤の一部を溶解させるよう構成した。【選択図】図１
2006226035.tif 000002
【特許請求の範囲】
【請求項１】
排水用開口を有し、流しの排水口の上部に設置されているゴミ受けカゴを覆うように設けられる蓋において、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させ、さらに、前記収容部は、当該収容部内に排水が流入する流入孔と、当該収容部内から薬剤の溶解液が流出する流出孔を有し、流入孔を流出孔より低い位置に形成してあり、前記収容部に溜まった排水によって予め薬剤の一部を溶解させるよう構成されているとともに、前記各収容部は、流出孔から流出する薬剤の溶解液を前記ゴミ受けカゴの胴部に案内する溶解液案内片を前記流出孔の直下に有することを特徴とする蓋。
【請求項２】
排水用開口を有し、流しの排水口の上部に設置されているゴミ受けカゴを覆うように設けられる蓋において、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させ、更に、前記収容部は、当該収容部内に排水が流入する流入孔と、当該収容部内から薬剤の溶解液が流出する流出孔を有し、流入孔を流出孔より低い位置に形成してあり、前記収容部に溜まった排水によって予め薬剤の一部を溶解させるよう構成されているとともに、前記リング体は一つの部材で形成されていることを特徴とする蓋。
【請求項３】
排水用開口を有し、流しの排水口の上部に設置されているゴミ受けカゴを覆うように設けられる蓋において、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させ、更に、前記収容部は、当該収容部内に排水が流入する流入孔と、当該収容部内から薬剤の溶解液が流出する流出孔を有し、流入孔を流出孔より低い位置に形成してあり、前記収容部に溜まった排水によって予め薬剤の一部を溶解させるよう構成されており、さらに、前記各収容部は、流出孔から流出する薬剤の溶解液を前記ゴミ受けカゴの胴部に案内する溶解液案内片を前記流出孔の直下に有する一方、前記リング体は一つの部材で形成されていることを特徴とする蓋。
【請求項４】
前記蓋本体には、流しの排水口の異なる口径に適合するよう外周にフランジが形成されている請求項１〜３のいずれかに記載の蓋。
【請求項５】
前記蓋本体は、平面視ほぼ半円状の平板部の端縁と、平面視ほぼ半円状で下方に凹入する湾曲板部の端縁とで形成される排水用開口を有する請求項１〜４のいずれかに記載の蓋。
【発明の詳細な説明】
【技術分野】
【０００１】
この発明は、流しの排水口の上部に設けられる蓋に関するものである。
【背景技術】
【０００２】
平面視ほぼ半円状の平板部の端縁と、平面視ほぼ半円状で下方に凹入する湾曲板部の端縁とで形成される排水用開口を有し、流しの排水口の上部に設置されているゴミ受けカゴを覆うように設けられる蓋として、下記特許文献１に示すものがある。
【特許文献１】特許第２７２４５５５号公報
【発明の開示】
【発明が解決しようとする課題】
【０００３】
ところで、流しの排水口は大小さまざまの大きさがあり、排水口の特定の口径にだけ適合する前記蓋は汎用性がない。
【０００４】
一方、本出願人は、流しの排水口の上部に設けられ、排水用開口を有する蓋として、下記特許文献２に示すように、ヌメリ除去作用および／または殺菌作用を有する水溶性の薬剤および／または生ゴミや下水からの異臭を消す消臭作用を有する水溶性の薬剤を裏側に設けたものを提案している。
【特許文献２】特開２００３−２７８２０９号公報
【０００５】
しかし、薬剤の溶解が必ずしも安定しなかった。
【０００６】
この発明は、上述の事柄に留意してなされたもので、その目的の一つは、流しの排水口の異なる口径に適合する蓋を提供することである。また、この発明の他の目的は、ヌメリ除去作用および／または殺菌作用を有する水溶性の薬剤および／または生ゴミや下水からの異臭を消す消臭作用を有する水溶性の薬剤の溶解を安定させるリング体を用いた蓋を提供することである。さらには、使用勝手のよいリング体を用いた蓋を提供することである。
【課題を解決するための手段】
【０００７】
上記目的を達成するために、請求項１に係る発明では、排水用開口を有し、流しの排水口の上部に設置されているゴミ受けカゴを覆うように設けられる蓋において、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させ、さらに、前記収容部は、当該収容部内に排水が流入する流入孔と、当該収容部内から薬剤の溶解液が流出する流出孔を有し、流入孔を流出孔より低い位置に形成してあり、前記収容部に溜まった排水によって予め薬剤の一部を溶解させるよう構成されているとともに、前記各収容部は、流出孔から流出する薬剤の溶解液を前記ゴミ受けカゴの胴部に案内する溶解液案内片を前記流出孔の直下に有する。
【０００８】
また、請求項２に係る発明では、排水用開口を有し、流しの排水口の上部に設置されているゴミ受けカゴを覆うように設けられる蓋において、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させ、更に、前記収容部は、当該収容部内に排水が流入する流入孔と、当該収容部内から薬剤の溶解液が流出する流出孔を有し、流入孔を流出孔より低い位置に形成してあり、前記収容部に溜まった排水によって予め薬剤の一部を溶解させるよう構成されているとともに、前記リング体は一つの部材で形成されている。
【０００９】
また、請求項３に係る発明では、排水用開口を有し、流しの排水口の上部に設置されているゴミ受けカゴを覆うように設けられる蓋において、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させ、更に、前記収容部は、当該収容部内に排水が流入する流入孔と、当該収容部内から薬剤の溶解液が流出する流出孔を有し、流入孔を流出孔より低い位置に形成してあり、前記収容部に溜まった排水によって予め薬剤の一部を溶解させるよう構成されており、さらに、前記各収容部は、流出孔から流出する薬剤の溶解液を前記ゴミ受けカゴの胴部に案内する溶解液案内片を前記流出孔の直下に有する一方、前記リング体は一つの部材で形成されている。
【発明の効果】
【００１０】
請求項１〜３に係る発明では、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させているので、リング体を保持した状態で、流しの排水口の上部に設置されるゴミ受けカゴを覆うように蓋本体を排水口の上部に取り付けることができる。そのため、流しの排水は、前記収容部内では前記薬剤が溶解し、排水と共に溶解した薬剤がゴミ受けカゴを通ることから、ゴミ受けカゴに付着しているヌメリを除去したり、ゴミ受けカゴの殺菌を行ったり、ゴミ受けカゴに付着している生ゴミ、あるいは、下水からの異臭を消すことができる。
【００１１】
また、請求項１〜３に係る発明では、前記収容部は、当該収容部内に排水が流入する流入孔と、当該収容部内から薬剤の溶解液が流出する流出孔を有し、流入孔を流出孔より低い位置に形成しているので、前記収容部に流入し溜まった排水によって予め水溶性の薬剤の一部を溶解させることができる。すなわち、一旦排水が無くなった状態では、つまり、前記収容部内に排水が流入しなくなった状態では、先に前記収容部内に流入し溜まった排水によって前記薬剤の一部は溶解しており、しかも、前記収容部内に排水が溜まっているので、溶解液は飽和液になり易くなり、薬剤の溶解が安定する。
【００１２】
そして、請求項１に係る発明では、各収容部は、流出孔から流出する薬剤の溶解液を前記ゴミ受けカゴの胴部に案内する溶解液案内片を設け、この溶解液案内片を前記流出孔の直下に設けているので、ゴミ受けカゴの胴部にも溶解液が満遍なく行き渡り、例えばヌメリを効果的に除去できる。
【００１３】
また、請求項２に係る発明では、リング体を一つの部材で形成しているので、使用勝手がよい。
【００１４】
さらに、請求項３に係る発明では、ゴミ受けカゴの胴部にも溶解液が満遍なく行き渡るとともに、リング体の使用勝手がよい。
【発明を実施するための最良の形態】
【００１５】
以下、この発明の実施の形態を、図を参照しながら説明する。なお、それによってこの発明は限定されるものではない。
【００１６】
図１〜図８は、薬剤を収容する複数の収容部が設けられたリング体を一つの部材で形成するとともに、前記各収容部に、薬剤溶解液をゴミ受けカゴの胴部に案内する溶解液案内片を設けたこの発明の一実施例を示す。なお、図１、図２は、異なる口径の排水口にこの発明の蓋が設置できることを説明するためのものである。また、図９は、所定の口径の排水口だけ用いることができる従来構成の蓋４’を示し、この蓋４’は、平面視ほぼ半円状の平板部１０の端縁ｍと、平面視ほぼ半円状で下方に凹入する湾曲板部１２の端縁ｎとで形成される排水用開口６を有している。
【００１７】
図１〜図８において、流し１の排水口１ａには、下流側が排水パイプ（図示せず）に接続するよう取り付けられたほぼ筒状のゴミ受けカゴ収容容器２と、この収容容器２の上部空間Ｓに着脱自在に収容される合成樹脂製あるいは金属製のゴミ受けカゴ３と、このゴミ受けカゴ３を覆うよう、前記収容容器２の上方開口２ａにはめ込まれて使用される合成樹脂製で剛性の蓋４とが備わっている。ゴミ受けカゴ収容容器２は、公知のものが使用されており、上方開口２ａを形成する環状の外向きフランジ５を介して排水口１ａに取り付けられている。
【００１８】
前記蓋４は、蓋本体４ａに、弾性的に変形するリング体４ｂを保持させてなる。このリング体４ｂには、ヌメリ除去作用および／または殺菌作用を有する水溶性の薬剤および／または生ゴミや下水からの異臭を消す消臭作用を有する水溶性の薬剤（以下、単に薬剤という）（図示せず）を収容する複数の収容部Ｄが設けられている。
【００１９】
前記蓋本体４ａは、平面視円形に形成されており、また、排水用開口６を平面視におけるほぼ中央に有する。そして、蓋本体４ａは、平坦な環状の上面外周部７と、この上面外周部７から下方に直角に折れ曲がった環状の垂下部８と、前記上面外周部７のほぼ半周部分における内周側から内側で、上方側に緩やかに傾斜する傾斜部９と、この傾斜部９から内側に連設されて端縁ｍに至る、平面視ほぼ半円状の平板部１０と、前記上面外周部７の残りのほぼ半周部分における外周側から内側に所定幅Ｌを有する形でほぼ平坦に連設される連設部１１と、この連設部１１から内側で下方に凹入する平面視ほぼ半円状の湾曲部分１２とから主として構成されている。
そして、前記蓋本体４ａは、平面視ほぼ半円状の前記平板部１０の端縁ｍと、平面視ほぼ半円状で下方に凹入する前記湾曲板部１２の端縁ｎとで形成される排水用開口６を有する。なお、前記端縁ｍは、平面視ほぼ半円状の平板部１０の直径部分である。また、前記端縁ｎは、平面視ほぼ半円状で下方に凹入する前記湾曲板部１２の直径部分である。この実施形態では、前記端縁ｎは、湾曲板部１２と連設部１１に跨がっている。また、前記端縁ｍは、前記平板部１０から傾斜部９に跨がっている。１１ａは前記連設部１１の内縁、１２ａは湾曲板部１２の湾曲面１２ａである。
【００２０】
この発明では、流し１の排水口１ａの異なる口径に適合するよう蓋４の外周にフランジＦが形成されている。すなわち、この発明は、平坦な環状の上面外周部７を垂下部８の位置から平面視円形の蓋４における径方向に長さＡだけ突出させてなる環状のフランジＦを設けている。
【００２１】
ここで、流し１の排水口１ａの口径が例えば大中小の三つの場合があるとした場合、大中小のうち、従来は小の口径を持つ排水口１ａ（図１参照）に、図９に示すような長い垂下部８’を、ゴミ受けカゴ収容容器２の胴の上部に形成されているストレート部分２ｂ（図１参照）とゴミ受けカゴ収容容器２のフランジ５との間に設けた環状の段差Ｍに載置するとともに、垂下部８’の外周面がゴミ受けカゴ収容容器２の上方開口２ａにおける内周面ｉ（図１参照）に当接しながら蓋４’を排水栓２に嵌め込んでいたが、
（１）この発明では、排水口１ａの口径が例えば大の場合には、図２に示すようにゴミ受けカゴ収容容器２のフランジ５の内周部分に前記フランジＦの外周部分が引っ掛かる形で排水口１ａに蓋４を設置できるようにしたものである。
また、
（２）この発明では、排水口１ａの口径が例えば小の場合には、図１に示すように、垂下部８の外周面がゴミ受けカゴ収容容器２の上方開口２ａにおける内周面ｉに当接しながら、かつ、垂下部８から突出させた前記フランジＦがゴミ受けカゴ収容容器２のフランジ５に載置された状態で排水口１ａに蓋４を設置できるようにしたものである。
【００２２】
更に、１６は、流しの排水の一部が流れ込む導入部で、蓋本体４ａの前記平坦部１０および前記連設部１１に、それぞれ複数個形成されている。前記各導入部１６は、複数の小孔１６ａを有する。各小孔１６ａは、排水に混じって流れてくるゴミができるだけ通過し難い大きさに形成されている。そして、リング体４ｂを蓋本体４ａに保持した状態では、導入部１６の直下に後述する、各収容部Ｄに設けた流入孔２４が位置するようになっている。
また、図８は、蓋本体４ａを裏側からみたものであるが、図８において、１７は、前記リング体４ｂを蓋本体４ａに保持させるための円弧状の保持部である。この保持部１７は環状の前記垂下部８より長さＨだけ内側に間隔をおいて同一円周上に設けられている。保持部１７は、リング体４ｂ取り付け用の係合孔１７ａ（図３参照）を有する。
【００２３】
次に、前記リング体４ｂについて説明する。例えば図５（Ａ）は、リング体４ｂの閉状態を示し、図５（Ｂ）は、リング体４ｂの開状態を示している。
【００２４】
前記リング体４ｂは、合成樹脂製で、薬剤を収容する複数の収容部Ｄが設けられている。リング体４ｂは一つの部材で形成されており、一つのリング部２０と複数の収容部Ｄよりなる。前記収容部Ｄの外形は袋状に形成されている。そして、リング部２０の下面側に、複数の収容部Ｄが所定の間隔を有して設けられている。収容部Ｄは、ヒンジＰを介してそれぞれ碗形状の外形を有する上下二つの部分２１，２２からなる。上部分２１は下方開口２３を有し、リング部２０の下面内側からリング部２０の下方と内側に向かって横断面ほぼＵ字形の形状になるよう形成されており、収容部Ｄ内に流入する排水の流入孔２４と収容部Ｄ内から流出する薬剤の溶解液の流出孔２５を有する。上部分２１は、リング部２０下面とで流出孔２５を形成する凹所２６を有する。２７は凹所２６を有する垂直片で、リング部２０の下面から下方に垂直状態に連設されている。また、流入孔２４および流出孔２５は、それぞれ、リング部径方向内側および外側に向くよう上部材２１に形成されるとともに、流入孔２４は流出孔２５よりも低い位置に設けられている。
【００２５】
一方、下部分２２は上方開口２８を有するとともに、各開口２３，２８同士を塞ぐように横断面ほぼＵ字形の形状をなし、上下二つの部分２１，２２のつなぎ目であるヒンジＰで枢支された状態で上部分２１に着脱自在に装着される。前記ヒンジＰは、収容部Ｄにおけるリング部径方向内側の先端部分に形成されており、流入孔２４の直下に位置している。そして、図５（Ｂ）に示したような収容部Ｄが開いた状態から、図５（Ａ）に示したような収容部Ｄが閉じた状態にするために、下部分２２は、リング部２０の外側に円周方向に沿う左右一対の係止爪２９，２９を有する一方、係止爪２９，２９が係合する一対の係合孔３０，３０をリング部２０は有する。係合孔３０，３０は円周方向に隣接してリング部２０に設けられている。３１は、下部分２２の一部を構成し、図５（Ａ）に示す状態では垂直片２７に外側から当接する垂直片で、上方開口２８におけるリング部径方向外側の上端から上方に突出形成されている。そして、この垂直片３１の先端に、図５（Ａ）に示す閉状態において流出孔２５に連通する切欠き（図示せず）を介して前記一対の係止爪２９，２９が対向配置されている。
【００２６】
また、前記リング部２０は、リング体４ｂ取り付け用の係合孔１７ａに係入可能な複数の水平突出片３２を有する。水平突出片３２はリング部２０の外周面下側から径方向外側に水平な状態で適宜長さだけ突出している。
【００２７】
前記薬剤は、ヌメリ除去作用および／または殺菌作用を有する水溶性の薬剤および／または生ゴミや下水からの異臭を消す消臭作用を有する水溶性の薬剤である。
【００２８】
さらに、前記下部分２１は、リング体２０がゴミ受けカゴ３に保持されている状態において流出孔２５から流出する薬剤の溶解液をゴミ受けカゴ３の胴部ｎ（図１，２参照）に案内するよう流出孔２５の直下に板状で側面視ほぼ三角形の溶解液案内片３３を有する。この溶解液案内片３３は、下部分２２の前記垂直片３１の外側垂直辺Ｔから下方に延設された垂直辺Ｗを有し、この垂直辺Ｗの下端からリング部２０の内側に鋭角的に折れ曲がって形成された下辺Ｒを有する。そして、溶解液案内片３３は、胴部ｎの直上に胴部ｎの内側から近接させた状態で設けられている。そして、流出孔２５から流出した溶解液は前記切欠きを通って外側垂直辺Ｔを下方に流れ、溶解液案内片３３に至る。ここで、溶解液案内片３３の表面を伝わる溶解液が垂直辺Ｗ、下辺Ｒを介して胴部本体１５の表面ｎに至るよう垂直辺Ｗと胴部ｎ間に形成される隙間の間隔Ｓが設定されている。この間隔Ｓは水平突出片３２の水平方向の長さを適宜に設定することにより調整可能である。なお、この実施の形態では、溶解液案内片３３を胴部ｎの上部に位置させながら、溶解液案内片３３と胴部ｎ間に隙間Ｌがある場合を示したが、垂直辺Ｗを下方に延設させて溶解液案内片３３を胴部ｎの内側に当接させた状態で設けてもよい。
【００２９】
以上、この実施例では、リング体４ｂを一つの部材で形成し、下部分２２を上部分２１から取り外すだけの容易な作業で薬剤を交換することができ、使用勝手がよい。
【００３０】
而して、流しの排水の一部は、ゴミ受けカゴ収容容器２の上方開口２ａにはめ込まれている蓋４の蓋本体４ａに設けた導入部１６を通り、流入孔２４から収容部Ｄ内に流入して薬剤の一部を溶解させるとともに、収容部Ｄの流出孔２５から垂直片３１の前記切欠きを通って溶解液案内片３３に至り、溶解液案内片３３の垂直辺Ｗ、下辺Ｒを介して薬剤の溶解液が直下のゴミ受けカゴ３の胴部ｎおよび底に至りゴミ受けカゴ３のヌメリを除去できる。そして、一旦排水が無くなった状態では、すなわち、収容部Ｄ内に排水が流入しなくなった状態では、先に収容部Ｄ内に流入し溜まった排水によって薬剤の一部は溶解しており、しかも、流入孔２４を流出孔２５より低い位置に形成してあるので、収容部Ｄ内に排水が溜まっており、薬剤の溶解液は飽和液になり易くなる。つまり、薬剤の溶解が安定する。この状態で排水があると、排水は流入孔２４から収容部Ｄ内に至り、収容部Ｄ内の前記飽和溶解液を薄める形で、かつ、飽和溶解液に混じって溶解液が収容部Ｄの流出孔２５４から流出する。よって、ゴミ受けカゴ３の例えばヌメリを効果的に除去できる。
【図面の簡単な説明】
【００３１】
【図１】この発明の一実施例において、小さな口径を有する排水口に対する蓋の設置状態の一例を示す構成説明図である。
【図２】上記実施例において、大きな口径を有する排水口に対する蓋の設置状態の一例を示す構成説明図である。
【図３】上記実施形態において、リング体の蓋本体への取り付け動作を説明するための図である。
【図４】上記実施例を示す分解縦断面図である。
【図５】（Ａ）は、上記実施例におけるリング体の収容部の閉状態を示す図である。（Ｂ）は、上記実施例におけるリング体の収容部の開状態を示す図である。
【図６】上記実施例の蓋本体を示す平面図である。
【図７】上記実施例の蓋本体を示す縦断面図である。
【図８】上記実施例の蓋本体を示す底面図である。
【図９】従来例の蓋を示す縦断面図である。
【符号の説明】
【００３２】
１          流し
１ａ        排水口  
３          ゴミ受けカゴ
４          蓋
４ａ        蓋本体
４ｂ        リング体
６          排水用開口
２０        リング部
２４        流入孔
２５        流出孔
３３        溶解液案内片
Ｄ          収容部
ｎ          胴部
【図１】
2006226035.tif 000003
【図２】
2006226035.tif 000004
【図３】
2006226035.tif 000005
【図４】
2006226035.tif 000006
【図５】
2006226035.tif 000007
【図６】
2006226035.tif 000008
【図７】
2006226035.tif 000009
【図８】
2006226035.tif 000010
【図９】
2006226035.tif 000011